(57)【特許請求の範囲】
【請求項１】
電話回線と接続するための接続手段と、
デモンストレーションを行うためのデモパターンを記憶する記憶手段と、
前記記憶手段に記憶されているデモパターンに基づきデモンストレーションを行うデモモードを設定する設定手段と、
前記接続手段が電話回線に接続されているか否か判定する判定手段と、
前記判定手段で前記接続手段が電話回線に接続されていないと判定した場合に前記設定手段でデモモードを設定するよう制御する制御手段とを有することを特徴とするデータ通信装置。
【請求項２】
さらに電源投入からの時間を計時する第１の計時手段を有し、前記制御手段は前記第１の計時手段が所定時間計時した後に前記判定手段で電話回線に接続されていないことを判定した場合、前記設定手段でデモモードを設定することを特徴とする請求項１に記載のデータ通信装置。
【請求項３】
前記デモパターンには表示もしくは音声によるデモンストレーションを含むことを特徴とする請求項１または２に記載のデータ通信装置。
【請求項４】
前記制御手段は所定の操作に応じて前記設定手段で設定されたデモモードを解除することを特徴とする請求項１乃至３のいずれかに記載のデータ通信装置。
【請求項５】
さらにデモモード解除からの時間を計時する第２の計時手段を有し、前記制御手段は前記第２の計時手段が所定時間計時した後に前記判定手段で電話回線に接続されていないことを判定し、かつ何の操作もない場合、前記設定手段でデモモードを再び設定することを特徴とする請求項４に記載のデータ通信装置。
【請求項６】
電話回線を介してデータの通信を行うデータ通信装置の制御方法において、
前記データ通信装置に所定のデモンストレーションを行わせるためのデモモードを設定する設定工程と、
前記データ通信装置が電話回線に接続されているか否か判定する判定工程と、
前記判定工程で前記データ通信装置が電話回線に接続されていないと判定した場合に前記設定工程においてデモモードを設定するよう制御する制御工程とを有することを特徴とするデータ通信装置の制御方法。
【請求項７】
電話回線を介してデータの通信を行うデータ通信装置を制御するためのプログラムを格納したコンピュータ可読記憶媒体において、
前記プログラムが、
前記データ通信装置に所定のデモンストレーションを行わせるためのデモモードを設定する設定工程と、
前記データ通信装置が電話回線に接続されているか否か判定する判定工程と、
前記判定工程で前記データ通信装置が電話回線に接続されていないと判定した場合に前記設定工程においてデモモードを設定するよう制御する制御工程とを有することを特徴とするコンピュータ可読記憶媒体。
【発明の詳細な説明】
【０００１】
【発明の属する技術分野】
本発明は、デモンストレーション機能を有するデータ通信装置及びその制御方法ならびに該データ通信装置を制御するためのコンピュータ可読記憶媒体に関する。
【０００２】
【従来の技術】
従来より、販売店等において販促等を目的として商品を目立たせたりするためのデモンストレーションを行わせることがある。
【０００３】
従来では商品に特殊な表示や音声出力といった通常の使用では行わないデモンストレーションを行わせるためには特別な操作によってそのパターンを動作させたりデモンストレーション用の特殊な部品に接続されることにより、デモンストレーションのONとOFFが切り替えられていた。
【０００４】
【発明が解決しようとする課題】
しかしながら、これまでデモンストレーションを起動するか否かを選択する際に、特別な操作や特別な部品が必要であったために、その操作方法を覚える必要とそれを遂行する作業が困難であるといった問題があった。
【０００５】
本発明は上述の問題点を除去したものであり、電話回線に接続して使用するデータ通信装置に容易にデモンストレーションを行わせるとともに、不必要なときにデモンストレーションを動作させないようになしたデータ通信装置及びその制御方法ならびにコンピュータ可読記憶媒体を提供することを目的とする。
【０００６】
【課題を解決するための手段】
上述した問題点を解決するため、本発明に係るデータ通信装置は以下の構成を備える。
【０００７】
即ち、電話回線と接続するための接続手段と、デモンストレーションを行うためのデモパターンを記憶する記憶手段と、前記記憶手段に記憶されているデモパターンに基づきデモンストレーションを行うデモモードを設定する設定手段と、前記接続手段が電話回線に接続されているか否か判定する判定手段と、前記判定手段で前記接続手段が電話回線に接続されていないと判定した場合に前記設定手段でデモモードを設定するよう制御する制御手段とを有する。
【０００８】
【発明の実施の形態】
以下、添付の図面を参照して本発明の一実施形態を説明する。
【０００９】
＜装置全体の構成＞
図１は本実施形態によるファクシミリ装置の概略構成を示すブロック図である。このファクシミリ装置は原稿読取機構としてコードレスハンドスキャナ（以下、ＨＳ部Ａ）を採用しており、本体部Ｂから完全に分離させて原稿上の画像を読み取らせることができる。
【００１０】
まず、図１のＨＳ部Ａについて説明する。
【００１１】
１００は本ファクシミリ装置のＨＳ部Ａの制御部であるＣＰＵ１、１０１はＣＰＵ１の各種プログラムや固定データを格納するためのＲＯＭ１、１０２はＣＰＵ１の各種プログラムのワークメモリやＨＳ部Ａにおける画像データ等の蓄積メモリとして使用されるＤＲＡＭ１、１０３はパーソナルコンピュータやデジタルカメラ等のための画像データを記憶するために用いられるコンパクトフラッシュメモリカード（以下、ＣＦメモリカード）装着用のスロットルと電気的インタフェースをとるためのＣＦインタフェース部、１０４はＨＳ部Ａでの画像処理に必要となる画像の拡大縮小など解像度変換機能および多値画像データを２値画像に変換する２値化処理機能を含む画像処理ゲートアレイチップである画像処理部１、１０５は線順次でＲＧＢ各色を主走査方向８ｐｅｌ／ｍｍの解像度で出力する密着型カラーイメージセンサからライン単位にイメージデータを読取るためのコンタクトセンサ（以下、ＣＳ）読取り制御部、１０６はＨＳ部Ａの読取りローラーの回転状態を監視するロータリーエンコーダの検出出力部であり、読取り時ＣＰＵ１はこの検出出力からＨＳ部Ａの移動距離データ（ロータリーエンコーダの回転数情報）を算出してＣＳ読取り制御部１０５により画像読取りを実行するものである。１０７はＨＳ部Ａの操作部である操作部１であって、ＨＳ部Ａの状態の表示や読取りモードの選択、メモリ内の画像の消去などのユーザーオペレーションをＣＰＵ１の制御により行うものである。１０８はＨＳ部Ａが本体からとりだされて単独で使用されるときにＨＳ部Ａの全システムを駆動するための蓄電池であり、ＨＳ部Ａが本体に装着された状態では絶えず本体から電力の供給を受けて充電されているＨＳ用バッテリーである。
【００１２】
１０９および１１０はＨＳ部Ａと本体部Ｂとの脱着コネクタに含まれている信号インタフェース部であり、本体部ＢとＨＳ部Ａとの間で動作モードの指定や状態情報のやり取りを双方向で行うコマンドインタフェースと、画像データを双方向でやり取りする画像データインタフェースとで構成されている。
【００１３】
次に本ファクシミリ装置の本体部Ｂについて説明する。
【００１４】
１１１は本体部Ｂの制御部であるＣＰＵ２、１１２はＣＰＵ２の各種プログラムや固定データを格納するためのＲＯＭ２、１１３はシステムに必要な登録データ（各種ソフトスイッチ、通信宛先データ、装置の電話番号や略称などのＩＤ情報）を登録記録するためのＳＲＡＭであって、電源断により該データが失われないように１２５のバッテリーでバックアップされている。なお、本実施形態によるデモンストレーションのためのデモパターンはＲＯＭ２に格納されている。１１４は本体部Ｂ側で画像データの画像処理に必要となる画像の拡大縮小など解像度変換機能および多値画像データを２値画像に変換する２値化処理機能を含む画像処理ゲートアレイチップである画像処理部２、１１５はＣＰＵ２の各種プログラムのワークメモリや本体部Ｂ側における音声データや画像データ等の蓄積用のメモリとして使用されるＤＲＡＭ２である。
【００１５】
１１６はファクシミリ通信時に９６００ｂｐｓのモデム速度で信号の伝送を行うＩＴＵ−Ｔ勧告の規格Ｇ３モードに必要な機能を持つ公知のファクシミリ用モデムであり、Ｖ．２９，Ｖ．２１，Ｖ．２７ｔｅｒに基づく変復調機能の他に、ＤＴＭＦ信号認識機能、ＤＲＡＭ２への音声録音とＤＲＡＭ２からの音声再生のための音声コーデック機能を具備している。
【００１６】
１１７は、ＨＳ部Ａを本体部Ｂに装着した状態で自動的に原稿を搬送して画像を読取るための原稿搬送モーターや、プリンタ部の記録紙を自動搬送するための記録紙搬送モーターを制御するためのモーター制御部、１１８は装置状態を表示するためのＬＥＤやＬＣＤなどの表示部、１１９は各種アラーム音や呼び出し音、電話回線上の音声信号を出力させるためのスピーカ、１２０は装置を操作するためのボタンや表示部１１８、スピーカを含む本装置の本体側操作部２である。本実施形態ではデモンストレーションとしてこの本体操作部２のＬＥＤの点滅、ＬＣＤへの所定の文字情報の表示、ＬＣＤのバックライトの種々の色への変化、スピーカからの所定のメッセージの音声出力等を行う。１２１はアナログ電話回線と本ファクシミリ装置のインタフェースをとるための公知のＮＣＵである。１２２は本装置を使用して通話を行うためのハンドセット、１２３はアナログ信号用接続スイッチ（クロスポイントスイッチ）であってＣＰＵ２からの設定により、ハンドセット、スピーカ、ＮＣＵ、モデムの間のアナログ信号の接続を自在に切り替える公知の回路である。
【００１７】
１２４は本装置のプリンタ部であって、インク吐出方式の公知のプリンタで構成され、インクタンクとインク吐出部が一体になっているカートリッジを記録紙の主走査方向に移動させるとともに記録紙を副走査方向に搬送させながら画像を記録していく。プリンタ部１２４はＣＭＹＫ各色のインクタンクとインク吐出部を組み合わせたカラーカートリッジとモノクロインクのみのインクタンクとインク吐出部を組み合わせたモノクロカートリッジを選択的に装着することによりインク吐出のオン／オフによる所定の記録解像度で所望の記録結果を得ることができる。カラーカートリッジとモノクロカートリッジのいずれが装着されているかは、カートリッジの電気的接点の構成によりＣＰＵ２が判別出来るようになっている。１２５はメモリバックアップバッテリーであって、ＳＲＡＭの登録データをバックアップするための電池である。１２６は、操作部２を含む装置の上カバーの開閉状態を検出するセンサーである。プリンタ部のカートリッジを交換したり、ＨＳ部Ａを本体部Ｂからとりはずしたりする際にカバーを開ける必要があるが、ＣＰＵ２は１２６の出力を認識することによってカバーの開閉状態を知る事が出来る。１２７は本ファクシミリ装置を電話回線に物理的に接続するためのコードを差し込むためのモジュラーコネクタ、１２８は本ファクシミリ装置を網（交換機）に接続するためにコードの他方の端を差し込むためのモジュラージャックである。
【００１８】
＜装置概観＞
図２に図１に示したファクシミリ装置の概観図を示す。図１に示したものは同一符号を付してある。
【００１９】
図２において、２０１は用紙ガイドであり、プリンタ部１２４で画像を記録させるべき記録紙の幅にあわせてセットするガイド機構を有する。２０２は用紙入り口であり、ここから記録紙が差し込まれる。２０３は原稿ガイドであり、ＨＳ部Ａが本体部Ｂに装着された状態でＣＳ読取り制御部１０５により画像を読み取らせるべき原稿の幅にあわせてセットされる。ガイドには位置センサーが付加されておりセット位置によりＣＰＵ２（１１１）は原稿サイズを検知する。２０４は原稿入り口であり、ここから原稿が差し込まれる。
【００２０】
２０５は上カバーであり、搬送されて装置内に滞留した原稿・記録紙を取り出す時や、プリンタ部１２４のカートリッジを交換する時に上方に開けることができる。上カバー部には操作部２（１２０）と通話時に使用されるハンドセット１２２を置くためのハンドセット台が含まれる。操作部２（１２０）にはテンキーボタン（オフフック状態でバックライトが点灯し、状況に応じて色が変化する）、ファクシミリ送信開始ボタン、ファクシミリ受信開始ボタン、スピーカーボタン、各種モードを伝えるためのＬＥＤ、装置の状態や各種情報を文字等によって伝えるためのＬＣＤ、スピーカ等が含まれる。ハンドセット台にはフックスイッチが設けられており、ハンドセット１２２を上げることにより、本ファクシミリ装置が電話回線に接続されていれば交換機との直流ループが形成され、ハンドセット１２２を置くことにより遮断される。ここでいう電話回線への接続とは電気的に交換機と接続され通信可能な状態であることを示す。また、本ファクシミリ装置は電話回線と接続されている場合に交換機から供給される直流電流の有無を任意のタイミングで検知することが可能であり、この有無の検知によって電話回線と接続されているか否かを判定することができる。上カバー２０５を開けるとＨＳ部Ａが本体部Ｂから取り出せる。
【００２１】
２０６は原稿排出口であり、ＨＳ部Ａが本体部Ｂに装着された状態でシート読み（原稿を搬送させながら原稿上の画像を読み取る）された原稿を排出する。２０７は用紙排出口であり、プリンタ部１２４で印画された記録紙を排出する。
【００２２】
なお、本実施形態における電話回線への接続とはファクシミリ装置が物理的に電話回線に接続され、電気的に接続可能な状態であり、必ずしも相手先と通信を行っている状態（回線捕捉中）ではないものである。
【００２３】
次に、このファクシミリ装置においてデモンストレーションを実行させる際の処理について説明する。デモンストレーションは操作部２のＬＣＤに本ファクシミリ装置の製品モデル名を示す文字情報を表示し、（１）バックライトを点滅させ、（２）バックライトの色（例えば３色）を繰り返し変化させ、（３）ＬＥＤを点滅させ、（４）スピーカから本ファクシミリ装置の製品情報を示す音声情報を出力し、この（１）〜（４）を順次繰り返す。このデモパターンはＲＯＭ２に格納されているが、所定の操作によって変更するようにしてもよい。またこのデモンストレーションは後述するような条件のもとで作動するが、操作部２の所定の操作によって強制的に作動の禁止を設定しておくことも可能である。
【００２４】
以下に示すフローチャートはＲＯＭ２に格納された制御プログラムに基づきＣＰＵ２が制御する処理の流れを示すものである。
【００２５】
図３はファクシミリ装置が電話回線に接続されているか否か、即ち、通常の使用状態にあるか販売店の店頭に展示された状態にあるかに応じて自動的にデモンストレーションを作動させるかどうかを切り替える処理の流れを示すフローチャートである。
【００２６】
まずファクシミリ装置の電源が投入されると初期化処理を開始し、ステップ３０１でタイマーが０に初期化され、カウントを開始する。なお、本実施形態ではタイマーの時間単位をＮ分に設定している。またＮ、Ｍの値は所定の操作によって可変であるものとする。また初期状態ではデモモードＯＦＦにセットされているものとする。
【００２７】
次にステップ３０２では本ファクシミリ装置が電話回線に接続され、通常の使用状態にあるか否かを判断する。ここでの判断はファクシミリ装置が正常に網（交換機）と通信可能な状態にあることを示す動作を一度行うことによって電話回線と接続されていると判断するが具体的な判断の基準については後述する。
【００２８】
そして、ここで電話回線に接続されていると判断された場合、ユーザの使用先に設置された状態と判断し、ステップ３０３でタイマーのカウントを停止し、ステップ３０６でデモモードをＯＦＦに設定（ＳＲＡＭ１１３に現在デモモードＯＦＦであることを記憶）してこのルーチンを終了する。
【００２９】
一方、ステップ３０２で電話回線に接続された状態ではないと判断された場合、ステップ３０４に進み、タイマーの値が満了したか（設定値Ｎに達したか）判断する。Ｎに達していればステップ３０５に進み、モジュラージャック１２８、モジュラーコネクタ１２７を介して本ファクシミリ装置に電話回線からの給電の検知の有無を判断する。これは網側（交換機）から供給される直流電圧を検知するもので正常に電話回線と接続されていれば給電されるので回線接続の判断が行える。ステップ３０２の判断の際に回線接続を判断する動作が行われていない可能性があるため確認のためにこの判断を行う。
【００３０】
ここで給電検知されれば電話回線に接続されている状態であり、上記同様ステップ３０６でデモモードをＯＦＦに設定する。給電検知されなければ電話回線に接続されていない状態であり、ステップ３０７でＳＲＡＭ１１３にデモモードＯＮを設定する。
【００３１】
また、ステップ３０４でタイマーの値がＮに達していなければ所定時間Ｍ（例えば１分）待ち、これを経てからステップ３０２からの処理に戻り、回線接続ありと判定されない限り電源が入っている間はＮに達するまでこのループを繰り返す。
【００３２】
このように電源が投入済みであるが電話回線が接続されていないと判定される状態では販売店等に展示されている場合と判断し、店員等が複雑な操作をしなくとも自動的にデモンストレーションの開始を許可するようデモモードＯＮにセットすることができる。またタイマーによる計測に基づき切り替えを制御するようにしたのでユーザーが本ファクシミリ装置を設置する際、電話回線への接続の作業を行うより先に電源を投入したとしても所定時間はデモモードをＯＮにしないので無意味にデモンストレーションが開始されないようにすることができる。
【００３３】
なお、本ファクシミリ装置を電話回線に接続せずに、例えば複写機として使用するユーザーや、電話回線接続の手続きが遅れ、その間通信機能以外の機能を使用するユーザー等のために先に説明したように強制的にデモンストレーションの自動実行を禁止するよう設定することもできるので不用意にデモンストレーションが作動することを防止することができる。
【００３４】
次に上記ステップ３０２における回線接続の判断の処理について説明する。図４はこの判断のための処理の流れを示すフローチャートである。この処理はファクシミリ装置に電源が投入された後に開始され、電源が切られるか、回線接続が行われたことを検出するまで繰り返される。また図３のフローチャートとは別に並行して実行され、この処理に基づく結果がステップ３０２の判断結果に反映される。
【００３５】
回線接続状態は初期設定では“回線接続なし”がＳＲＡＭ１１３に設定されているものとする。
【００３６】
まず、ファクシミリ装置の電源が投入されると、ステップ４０１でオフフック状態になったか、つまりハンドセット１２２が持ち上げられるか操作部２のオフフックボタンが押されるかしフックスイッチがＯＮになったか判断し、オフフック状態になったと判断された場合はステップ４０２で交換機との間で直流ループが形成されたか判断する。そして直流ループが形成された場合はファクシミリ装置が電話回線に接続されている場合であり、ステップ４０４でＳＲＡＭ１１３の回線接続状態を記憶するエリアの内容を“回線接続あり”に書き替えセットする。
【００３７】
つまり、オフフックにより極性反転し交換機との間で直流ループが形成された場合はファクシミリ装置が電話回線に接続されている場合であり、ユーザがファクシミリ送信や通話のためなどにより、この動作を行った場合にこの判定を行う。そして一度回線接続ありと設定すると電源が落とされない限りこの状態を保持して処理を終了する。
【００３８】
またオンフックの状態であるときにはステップ４０３で網からの呼び出し信号（ＣＩ信号）の着信の有無を監視し、ＣＩ信号を検知した場合はファクシミリ装置が電話回線に接続されている場合であり、上記同様ステップ４０４で“回線接続あり”をセットする。
【００３９】
つまり、相手先からのファクシミリ送信や通話のためのダイヤルがなされると交換機を経由して呼び出し信号が送られてくるが、これを検知することによって回線接続の有無の判定が行える。
【００４０】
直流ループの形成もＣＩ信号の検知も行えなかった場合はファクシミリ装置が電話回線に接続されていない場合であり、回線接続ありがセットされるまで上記判定のための監視を継続する。
【００４１】
上記ステップ３０２の判断は以上の処理に基づくＳＲＡＭ１１３の回線接続状態を記憶するエリアの内容を読み取ることによって行われるものである。
【００４２】
これらのように通常のファクシミリ装置の操作もしくは着信動作によって回線接続の有無を判断するので、複雑な操作を伴わずその結果をデモンストレーションの自動作動させるか否かに反映させることができる。
【００４３】
次に上記ステップ３０７でデモモードがＯＮにセットされた場合のデモンストレーションに関する処理について説明する。図５はその処理の流れを示すフローチャートである。
【００４４】
まず、デモモードがＯＮにセットされるとステップ５０１で先に説明したような所定のデモパターンに従ったデモンストレーションを開始する。
【００４５】
そして、ステップ５０２でオペレータによりファクシミリ装置が操作されたか否か判断する。ここでの操作とは操作部２に含まれるキー、ボタンの押下等の手動操作、ハンドセット１２２を持ち上げることによるフックスイッチの本体部Ｂ側の操作であり、ＨＳ部Ａの取り外しや操作部１の操作は対象とはならないものとする。また、この操作はデモンストレーションを解除する専用のキー等を設けるものではない。
【００４６】
ファクシミリ装置本体が操作されたと判断した場合はステップ５０３でデモンストレーションを解除、つまりデモパターンを停止し、ファクシミリ装置を通常の待機状態にする。
【００４７】
ステップ５０４では最後の操作から所定時間Ｌ分（Ｌは所定の操作により可変とする）待機した後、ステップ５０５でデモモードがＯＮにセットされていることを判断してデモモードがＯＮにセットされていればステップ５０１に戻りデモンストレーションを再開する。
【００４８】
これにより、オペレータがファクシミリ装置を操作していないときにデモンストレーションを作動させ、操作する場合にはそれを妨げることがなくなる。また、通常の使用で用いられる操作によりデモンストレーションを解除するので専用にキーを設けるものに比べ安価に構成できる。また、ハンドスキャナのみを見たいユーザがこれを操作してもデモンストレーションを停止しないのでデモンストレーションの効果を損なうことがない。ただし、もちろんハＣＰＵ１と連動しながらンドセットの操作でデモンストレーションを止めるようにしてもよい。
【００４９】
なお、デモモードがＯＮになっていてもコピーなどの機能は通常通り使用することができるほか、送信のための操作も実際に送信はされないが原稿の搬送等は行われ、擬似的に送信のための操作を体験することができるものとする。
【００５０】
以上の通り本実施形態によれば安価な構成でかつ煩雑な操作をオペレータに強いずに容易に宣伝効果をあげるためのデモンストレーションを作動させることができる。また不要時にはデモンストレーションを作動させず、もしくは停止させるのでデモ操作を行うオペレータや試用するユーザの操作を妨げることを防ぐことができる。
【００５１】
本発明は複数の機器（たとえばホストコンピュータ、インタフェース機器、リーダ、プリンタ、通信ユニット等）から構成されるシステムに適用しても一つの機器（たとえば、ファクシミリ装置、電子メール通信装置）からなる装置に適用してもよい。
【００５２】
また前述した実施形態の機能を実現すべく各種のデバイスを動作させる様に該各種デバイスと接続された装置あるいはシステム内のコンピュータに、前述の実施形態機能を実現するためのソフトウエアのプログラムコードを供給し、そのシステムあるいは装置のコンピュータ（CPUあるいはMPU）を格納されたプログラムに従って各種デバイスを動作させることによって実施したものも本発明の範疇に含まれる。
【００５３】
またこの場合、ソフトウエアのプログラムコード自体が前述した実施形態の機能を実現することになり、そのプログラムコード自体、及びそのプログラムコードをコンピュータに供給するための手段、例えばかかるプログラムコードを格納した記憶媒体は本発明を構成する。
【００５４】
かかるプログラムコードを格納する記憶媒体としては例えばフロッピーディスク、ハードディスク、光ディスク、光磁気ディスク、CD-ROM、磁気テープ、不揮発性のメモリカード、ROM等を用いることが出来る。
【００５５】
またコンピュータが供給されたプログラムコードを実行することにより、前述の実施形態の機能が実現されるだけではなく、そのプログラムコードがコンピュータにおいて稼働しているOS(オペレーティングシステム)、あるいは他のアプリケーションソフト等と協働して前述の実施形態の機能が実現される場合にもかかるプログラムコードは本発明の実施形態に含まれることは言うまでもない。
【００５６】
更に供給されたプログラムコードが、コンピュータの機能拡張ボードやコンピュータに接続された機能拡張ユニットに備わるメモリに格納された後そのプログラムコードの指示に基づいてその機能拡張ボードや機能格納ユニットに備わるCPU等が実際の処理の一部または全部を行い、その処理によって前述した実施形態の機能が実現される場合も本発明に含まれることは言うまでもない。
【００５７】
【発明の効果】
以上説明したように本発明によれば、その設置状態の判定によって電話回線に接続して使用するデータ通信装置に容易にデモンストレーションを行わせるとともに不必要なときにデモンストレーションを動作させないようにすることができる。
【図面の簡単な説明】
【図１】本発明の実施形態のファクシミリ装置の概略構成を示すブロック図である。
【図２】ファクシミリ装置の概観を示す斜視図である。
【図３】デモモードのＯＮ／ＯＦＦを設定するための処理の流れを示すフローチャートである。
【図４】電話回線に接続された状態か否かを判定するための処理の流れを示すフローチャートである。
【図５】デモンストレーションの開始及び停止に関する処理の流れを示すフローチャートである。
【符号の説明】
１１１  ＣＰＵ２
１１２  ＲＯＭ２
１２０  操作部２
１２１  ＮＣＵ
【図１】
0003825962.tif 000002
【図２】
0003825962.tif 000003
【図３】
0003825962.tif 000004
【図４】
0003825962.tif 000005
【図５】
0003825962.tif 000006